(57)【要約】【課題】新製品に標準内蔵機能とされていない、所望のレガシー機能を実行できるようにすることを目的とする。【解決手段】標準内蔵機能が夫々割り当てられた標準操作スイッチ６ａを有し、この標準操作スイッチ６ａを操作することによりこの標準内蔵機能を実行するようにした電子機器において、この標準操作スイッチ６ａの外に再現操作スイッチ６ｂを設け、この再現操作スイッチ６ｂに過去に標準内蔵機能であった所望のレガシー機能を割り当て、この再現操作スイッチ６ｂを操作することにより過去の所望の標準内蔵機能を実行することができるようにしたものである。【選択図】        図１
2004200931.tif 000002
【特許請求の範囲】
【請求項１】
標準内蔵機能が夫々割り当てられた標準操作スイッチを有し、
該標準操作スイッチを操作することにより前記標準内蔵機能を実行するようにした電子機器において、
前記標準操作スイッチの外に再現操作スイッチを設け、該再現操作スイッチに過去に標準内蔵機能であった所望のレガシー機能を割り当て、前記再現操作スイッチを操作することにより過去の所望の標準内蔵機能を実行することができるようにしたことを特徴とする電子機器。
【発明の詳細な説明】
【０００１】
【発明の属する技術分野】
本発明はデジタルスチルカメラ、ビデオテープレコーダ・一体形ビデオカメラ、ビデオ編集機等の電子機器に関する。
【０００２】
【従来の技術及び発明が解決しようとする課題】
一般にデジタルスチルカメラ、ビデオテープレコーダ・一体形ビデオカメラ、ビデオ編集機等の電子機器においては標準内蔵機能により標準サポートされていない過去の製品で標準内蔵機能でありユーザにより頻繁に使われていた過去の標準内蔵機能であるレガシー機能も多々ある。
【０００３】
これらのレガシー機能は、新製品において、機能アップしたものもあれば、その機能自体が無くなったものもある。
【０００４】
当然のことながら機能アップしたものに関しては、その機能を十二分にユーザは使えるので問題ないが、この機能自体が無くなってしまったものに関しては、ユーザはどうすることもできない。
【０００５】
この無くなってしまった機能の中にはユーザが、まだまだ使いたい機能もある。特に頻繁に使っていた機能が無くなってしまった場合には、ユーザに対して深刻な影響を及ぼす結果になる。
【０００６】
例えばビデオ編集機において過去の製品で標準内蔵機能であり、新製品の標準内蔵機能に含まれていない機能（レガシー機能）として、チャンネル１及び２とチャンネル３及び４との音声ミックスバランスを５段階で調整できるようにしたオートミックスバランス（AUTO MIX BALANCE）機能、リモートコントローラによる本体操作の可、不可を決めるリモートコントロール（REMOTE CONTROL）機能、モニター画面のタイムカウンター表示位置を変えるディスプレイポジション（DISPLAY POSITION）機能、誤操作時などにブザー音の出力の可、不可を決めるコーションディスプレイ（CAUTION DISPLAY)機能、再生・録画中にテープエンドに達すると、自動的にテープの頭まで巻戻る操作の可、不可を決めるオートリワインド（AUTO REWIND)機能、フォトモードで記録したテープを再生するとき、ぶれない画像が見られるフォトプレイバックフィールド（PHOTO PB FIELD）機能、静止画を再生するとき、フォトプレイバックフィールド機能よりも解像度の高い画像を見られるフォトプレイバックフレーム（PHOTO PB FRAME）機能等がある。
【０００７】
こうしたレガシー機能は、かつては内蔵メモリの容量不足や圧縮技術が稚拙なためやむなく割愛されてしまっていたが、今日では内蔵メモリの容量も十分あり、また圧縮技術についても相当な進歩を遂げている。
【０００８】
またこの例えばビデオ編集機を制御するマイクロコンピュータより成るシステムコントローラのプログラム等を記憶する内蔵メモリには、過去の標準機能であるレガシー機能のプログラムも保有しており、このレガシー機能を単に停止させている場合が多々ある。
【０００９】
これは過去に開発されたプログラムに新機能のプログラムを付加するようにした方が開発が容易であること、この場合過去のプログラムを消去すると必要なルーチンが消えたり、バグが発生したりする不都合が生ずること及び内蔵メモリの容量が桁ちがいに増えていると共に圧縮技術が向上したことによる。
【００１０】
本発明は斯る点に鑑み、新製品に標準内蔵機能とされていな、所望のレガシー機能を実行できるようにすることを目的とする。
【００１１】
【課題を解決するための手段】
本発明電子機器は、標準内蔵機能が夫々割り当てられた標準操作スイッチを有し、この標準操作スイッチを操作することによりこの標準内蔵機能を実行するようにした電子機器において、この標準操作スイッチの外に再現操作スイッチを設け、この再現操作スイッチに過去に標準内蔵機能であった所望のレガシー機能を割り当て、この再現操作スイッチを操作することにより過去の所望の標準内蔵機能を実行することができるようにしたものである。
【００１２】
【発明の実施の形態】
以下、本発明電子機器の実施の形態の例につき説明する。本例はビデオ編集機に本発明を適用した例を示す。
【００１３】
図２は本例によるビデオ編集機の構成を示し、この図２において、１はこのビデオ編集機本体を示し、このビデオ編集機本体１はマイクロコンピュータより成るシステムコントローラ２と、このシステムコントローラ２にバスを介して接続された液晶表示装置等より成る表示装置３、ワークＲＡＭ４、内蔵メモリ５、操作スイッチ部６等とより成っている。
【００１４】
この表示装置３はメニュー表示等このビデオ編集機の種々の操作に応じた種々の表示を行う如くなされている。
【００１５】
ワークＲＡＭ４はシステムコントローラ２のマイクロコンピュータと共に働き種々の指令等の処理に必要なデータや計算結果を格納して置くためのメモリである。
【００１６】
内蔵メモリ５は種々のプログラム等が記憶されているメモリで、本例においては、このビデオ編集機の新製品の標準内蔵機能のプログラムが記憶されている外に過去のビデオ編集機の旧製品の標準内蔵機能であった種々のレガシー機能のプログラムも記憶されているものである。
【００１７】
この場合この内蔵メモリ５に新製品の標準内蔵機能のプログラムの外に旧製品の標準内蔵機能プログラムであった例えば、チャンネル１及び２とチャンネル３及び４との音声ミックスバランスを５段階で調整できるようにしたオートミックスバランス（AUTO MIX BALANCE）機能のプログラム、リモートコントローラによるビデオ編集機本体操作の可、不可を決めるリモートコントロール（REMOTE CONTROL）機能のプログラム、モニター画面のタイムカウンター表示位置を変えるディスプレイポジション（DISPLAY POSITION）機能のプログラム、誤操作時などにブザー音の出力の可、不可を決めるコーションディスプレイ（CAUTION DISPLAY)機能のプログラム、再生・録画中にテープエンドに達すると、自動的にテープの頭まで巻戻る操作の可、不可を決めるオートリワインド（AUTO REWIND)機能のプログラム、フォトモードで記録したテープを再生するとき、ぶれない画像が見られるフォトプレイバックフィールド（PHOTO PB FIELD）機能のプログラム、静止画を再生するとき、フォトプレイバックフィールド機能よりも解像度の高い画像を見られるフォトプレイバックフレーム（PHOTO PB FRAME）機能のプログラムを記憶する如くする。
【００１８】
即ち本例では、この内蔵メモリ５に記憶するプログラムは過去に開発されたプログラムに新機能のプログラムを付加する如くする。
【００１９】
また操作スイッチ部６にはこのビデオ編集機の新製品の標準内蔵機能が夫々割り当てられた標準操作スイッチ６ａを設けると共にこの標準操作スイッチ６ａの外に本例においては再現操作スイッチ６ｂを設ける。この再現操作スイッチ６ｂを例えば図３に示す如くビデオ編集機の前面のユーザが扱いやすい位置に配置する如くする。
【００２０】
図２において、７は再生用ビデオテープレコーダ、８は編集用ビデオテープレコーダを示し、この再生用ビデオテープレコーダ７及び編集用ビデオテープレコーダ８は、ビデオ編集機本体１のシステムコントローラ２により制御される如くなすと共にこの再生用ビデオテープレコーダ７で再生した映像信号及び音声信号を編集用ビデオテープレコーダ８に供給する如くする。
【００２１】
また、本例においては操作スイッチ部６の標準操作スイッチ６ａを操作することにより、このビデオ編集機においては操作した標準操作スイッチ６ａに割り当てられた標準内蔵機能を実行する如くなすと共にこの再現操作スイッチ６ｂを操作したときには図１のフローチャートに示す如き動作をする如くする。
【００２２】
即ち、再現操作スイッチ６ｂを操作（押す）（ステップＳ１）したときは、レガシー機能のメニューがオープン（ステップＳ２）され図４に示す如きレガシー機能メニューが表示装置３の画面に表示され、上下ボタン（図示せず）を操作し、カーソル３ａを所望レガシー機能例えばオートリワインド（AUTO REWIND)機能に対応させて選択し（ステップＳ３）、決定ボタン（図示せず）を操作して、このオートリワインド機能を選択決定する（ステップＳ４）。
【００２３】
このステップＳ４でオートリワインド機能を選択決定したときには、このオートリワインド機能のプログラムが採用され、このオートリワインド機能が再現実行される（ステップＳ５）。再びこの再現操作スイッチ６ｂを操作（押す）（ステップＳ６）したときはスタートのメニューオープン前の状態に復帰する。
【００２４】
ステップＳ４で、オートリワインド機能ではなく他のレガシー機能を選択決定するようにしたときには上述同様に他のレガシー機能が選択決定され、選択決定されたレガシー機能が上述同様に実行される。
【００２５】
本例は上述の如く構成されているので、ビデオ編集機の新製品に標準内蔵機能とされていない、所望のレガシー機能を再現操作スイッチ６ｂを操作することにより実行することができる。
【００２６】
従って本例においては、新製品において無くなってしまった機能であっても、ユーザが使いたい機能があるときには、その使いたい機能を再現することができる。
【００２７】
尚、上述例は本発明をビデオ編集機に適用した例につき述べたが、本発明をデジタルスチルカメラ、ビデオテープレコーダ・一体形ビデオカメラ等その他の電子機器に適用できることは勿論である。
【００２８】
また本発明は上述例に限ることなく本発明の要旨を逸脱することなくその他種々の構成が採り得ることは勿論である。
【００２９】
【発明の効果】
本発明によれば新製品に標準内蔵機能とされていない、所望のレガシー機能を再現操作スイッチを操作することにより実行することができる。
【００３０】
従って本発明においては、新製品において無くなってしまった機能であっても、ユーザが使いたい機能があるときには、その使いたい機能を再現することができる。
【図面の簡単な説明】
【図１】本発明電子機器の実施の形態の例の説明に供するフローチャートである。
【図２】本発明電子機器の実施の形態の例の構成図である。
【図３】本発明電子機器の実施の形態の例の斜視図である。
【図４】本発明の説明に供する線図である。
【符号の説明】
１‥‥ビデオ編集機本体、２‥‥システムコントローラ、３‥‥表示装置、５‥‥内蔵メモリ、６‥‥操作スイッチ部、６ａ‥‥標準操作スイッチ、６ｂ‥‥再現操作スイッチ、７‥‥再生用ビデオテープレコーダ、８‥‥編集用ビデオテープレコーダ
【図１】
2004200931.tif 000003
【図２】
2004200931.tif 000004
【図３】
2004200931.tif 000005
【図４】
2004200931.tif 000006